(57)【要約】【課題】外袋と内袋とからなる袋体において、外袋及び内袋を開けることなく、該内袋内における紙幣等の内容物の存在の有無を容易に確認することのできる袋体を提供する。【解決手段】矩形状の外袋と、前記外袋に内包される矩形状の内袋とを備える袋体において、該外袋及び該内袋にそれぞれ開口部ｘ、開口部ｙを設け、且つ該外袋に該内袋が内包された状態にあるときに、開口部ｘ及び開口部ｙの少なくとも一部が重なるよう形成し、その開口部の重なり部分から内袋内における内包物の有無を視認可能とする。【選択図】図１
2008050014.tif 000002
【特許請求の範囲】
【請求項１】
矩形状の外袋と、前記外袋に内包される矩形状の内袋とを備える袋体であって、前記外袋及び前記内袋にそれぞれ開口部ｘ、開口部ｙが設けられ、且つ前記外袋に前記内袋が内包された状態にあるときに、前記開口部ｘと前記開口部ｙの少なくとも一部が重なることを特徴とする袋体。
【請求項２】
前記開口部ｙの面積が、前記開口部ｘの面積より大きいことを特徴とする請求項１に記載の袋体。
【請求項３】
前記外袋の上端及び下端の少なくとも一方に外袋裏面方向に折り曲げて畳まれる折り曲げ部が形成されており、前記折り曲げ部を折り畳んだ状態にあるときに、前記開口部ｘが折り曲げ部内側に隠れる位置に形成されていることを特徴とする請求項１または２に記載の袋体。
【請求項４】
前記外袋の上端及び下端の少なくとも一方に外袋裏面方向に折り曲げて畳まれる折り曲げ部が形成されており、前記折り曲げ部に開口部ｚが設けられており、前記外袋に前記内袋が内包され、且つ、前記折り曲げ部を折り畳んだ状態にあるときに、前記開口部ｘ及び前記開口部ｙ及び前記開口部ｚの少なくとも一部が重なることを特徴とする請求項１または２に記載の袋体。
【発明の詳細な説明】
【技術分野】
【０００１】
本発明は、外袋と内袋とからなる袋体において、内袋内に紙幣等の内包物が入っているか否かの確認を容易に行うことのできる袋体に関する。
【背景技術】
【０００２】
祝儀袋や香典袋に代表される内袋と外袋とからなる矩形状の袋体は、従来から紙幣などを内包する袋体として広く用いられている。
【０００３】
上記袋体は、内袋と外袋とからなる二重構造になっており、袋体外見上からでは内袋の存在及び内袋に入れられた紙幣等の内包物の存在の有無を確認できない構造となっていた。また外袋を開けても、内袋の中に内包物が入っているかどうかといことが容易に確認できない構造となっていた。
【０００４】
上記袋体は、上述のごとく内包物の存在の確認が容易にできない構造であることにより、以下の問題を有していた。
即ち、上記二重構造の袋体において内袋内に内包物が入っているか否かを確認するためには、外袋を開き、さらに内袋も開かなければならず、非常に手間がかかる作業であった。また特に水引きなどの装飾部材を備える祝儀袋・香典袋では、内袋の中を確認するために、該装飾部材を取り外す手間がさらにかかる上、該装飾部材を取り外す際、あるいは再度装着する際に、外袋を傷つける虞があった。また紙幣等の内包物の入れ忘れに気づかずに上記袋体を相手方に手渡してしまった場合に、受け取った方も外袋及び内袋を開けるまでは内包物の入れ忘れに気づかないため、すぐに内包物の入れ忘れを確認できないという問題点があった。
【０００５】
さらには、上記袋体を受け取った者が、内包物の入っていることに気づかずに、あやまって内袋を破棄してしまう場合があった。例えば、大勢の人が集まる結婚式や葬式の受付などでは、大量の祝儀袋または香典袋を管理しなければならず、上述のような問題が生じる虞があった。
【０００６】
これに対し、内袋を備えない香典・祝儀用袋において、該袋内部に金員が存在するか否かを確認するための窓孔が設けられた香典・祝儀用袋が提案されている（特許文献１）。上記香典・祝儀用袋は、袋本体に窓孔が設けられているので、該袋に直接入れられた金員の存在を該窓孔から確認することができるものである。
【０００７】
また別の袋体として、外袋と内袋とからなる香典袋・祝儀袋において、該外袋に香典袋・祝儀袋に通常使用される文字・模様形状の視認窓が設けられた袋体が提案されている（特許文献２）。上記特許文献２の記載によれば、上記香典袋・祝儀袋は、外袋に設けられた視認窓から、該外袋に内包される内袋の存在を確認することができるとともに、視認窓が文字・模様形状であるため優れた意匠性が発揮される旨記載されている。
【０００８】
【特許文献１】実開昭６０−１５８６１
【特許文献２】特開２０００−２０３５９２
【発明の開示】
【発明が解決しようとする課題】
【０００９】
しかしながら、特許文献１に記載の香典・祝儀用袋は、内袋を備えない一重の袋であり、外袋と内袋とからなる二重構造については何等予定するものではなかった。またたとえ、特許文献１に記載の袋に、さらに内袋を内包させたとしても、該袋に設けられた窓孔からは内袋の存在が確認されるに過ぎず、内袋の中に紙幣等が入れられているか否かについて確認することはできなかった。
【００１０】
また特許文献２に記載の香典袋・祝儀袋は、外袋と内袋とからなる二重構造の袋体において、該外袋に設けられた視認窓から、これに内包される内袋の存在を確認できるに過ぎず、内袋に紙幣等の内包物が入れられているか否かは、該視認窓から確認することはできなかった。したがって、内袋の中に確かに紙幣等の内包物が入れられているか否かを確認するには、外袋から内袋を取り出し、さらに内袋を開けて確かめるしかなく、手間がかかる作業であった。
【００１１】
本発明は、上記問題点に鑑み発明されたもので、外袋及び内袋を開け閉めすることなく、内袋に紙幣等の内包物が入れられているか否かを容易に確認することができる袋体を提供することを目的とするものである。
【課題を解決するための手段】
【００１２】
本発明は、袋体を構成する外袋と内袋とにおいて、それぞれ開口部が設けられており、且つこれら開口部の少なくとも一部が重なるよう構成されることによって、内袋内における内包物の存在の有無を視認可能とすることを基本的特徴とするものである。
【００１３】
即ち本発明は、
（１）矩形状の外袋と、前記外袋に内包される矩形状の内袋とを備える袋体であって、前記外袋及び前記内袋にそれぞれ開口部ｘ、開口部ｙが設けられ、且つ前記外袋に前記内袋が内包された状態にあるときに、前記開口部ｘと前記開口部ｙの少なくとも一部が重なることを特徴とする袋体、
（２）前記開口部ｙの面積が、前記開口部ｘの面積より大きいことを特徴とする上記（１）に記載の袋体、
（３）前記外袋の上端及び下端の少なくとも一方に外袋裏面方向に折り曲げて畳まれる折り曲げ部が形成されており、前記折り曲げ部を折り畳んだ状態にあるときに、前記開口部ｘが折り曲げ部内側に隠れる位置に形成されていることを特徴とする上記（１）または上記（２）に記載の袋体、
（４）前記外袋の上端及び下端の少なくとも一方に外袋裏面方向に折り曲げて畳まれる折り曲げ部が形成されており、前記折り曲げ部に開口部ｚが設けられており、前記外袋に前記内袋が内包され、且つ、前記折り曲げ部を折り畳んだ状態にあるときに、前記開口部ｘ及び前記開口部ｙ及び前記開口部ｚの少なくとも一部が重なることを特徴とする上記（１）または上記（２）に記載の袋体。
【発明の効果】
【００１４】
本発明の袋体は、外袋及び内袋それぞれに設けられた開口部の少なくとも一部が重なっているため、この重なり部分を介して内袋に入れられた紙幣等の内包物の有無を、袋体外側から目視により容易に確認することができる。したがって、内袋に入れられた内包物を確認するために、わざわざ外袋及び内袋を開ける手間が省かれ、特に水引きなどの装飾部材を備える祝儀袋等の場合には、上記水引きを取り外す手間も省くことができる。
【００１５】
また一般的に、外袋と内袋とからなる二重構造の袋体は外袋より内袋の大きさの方が小さく形成されており、外袋内に内袋が内包された状態にあるときに、該外袋内で該内袋の位置がずれることがある。しかし本発明の袋体であれば、外袋および内袋それぞれに設けられた開口部の少なくとも一部が重なる構造を有しているため、上述のごとく外袋内で内袋の位置がずれた場合であっても、外袋及び内袋それぞれに設けられた２つの開口部を介して、内袋に内包された紙幣等の内包物の有無を目視で確認することができる。
【００１６】
特に、内袋に設けられた開口部の面積が、外袋に設けられた開口部の面積より大きい本発明であれば、これら２つの開口部の少なくとも一部が重なった構造を形成し易い。
【００１７】
さらに、外袋の上端及び下端の少なくとも一方に、折り曲げ部の形成された袋体において、上記折り曲げ部を折り畳んだ際に、外袋に設けられた開口部が該折り曲げ部内側に隠れるよう構成される本発明であれば、袋体外見上、紙幣等の内包物が露出せず、且つ、折り曲げ部（及び／または外袋本体）を少し撓ませるだけで、上記内包物を確認することができる。
【発明を実施するための最良の形態】
【００１８】
以下に、図を用いて、本発明を実施するための最良の形態について説明する。
図１ａは外袋１の裏面を示す概念図である。外袋１の裏面下方には、幅方向に細長い長方形の開口部ｘ２が形成されている。
図１ｂは内袋３の裏面を示す概念図である。内袋３の裏面下方には、開口部ｘ２より面積の大きい開口部ｙ４が形成されており、内袋３に内包される紙幣５の一部が、開口部ｙ４から露出している。
図１ｃは、外袋１の内部に内袋３を内包させた本発明の袋体６の裏面を示す概念図である。袋体６の裏面下方において、外袋１に設けられた開口部ｘ２と、内袋３に設けられた開口部ｙ４との一部が重なっており、この重なり部分を介して、内袋３に内包された紙幣５が露出している。
【００１９】
したがって、本発明の袋体６では、外袋１及び内袋３を開けることなく、該袋体５の裏面下方に位置する上記開口部ｘ２及び開口部ｙ４の重なり部分を目視するだけで、内袋３に内包される紙幣５の存在を容易に確認することができる。
【００２０】
図１で説明する本発明の実施態様は、開口部ｙ４の面積が開口部ｘ２の面積より大きく形成されている。かかる構成によれば、外袋１より内袋２が小さく、該外袋１に内包された内袋３の位置が該外袋内でずれる虞がある袋体であっても、開口部ｙ４と開口部ｘ２との少なくとも一部を重複させる構成を容易に形成することができ好ましい。
【００２１】
ただし上述する態様は本発明の一実施態様に過ぎず、本発明を限定するものではない。したがって開口部ｘ及び開口部ｙを同一形状とし、あるいは開口部ｘの面積を開口部ｙの面積より大きく形成することを本発明の態様から除外するものではない。
【００２２】
また本発明における開口部ｘ及び開口部ｙの大きさは任意であって、内袋に内包される内包物の存在を目視で容易に確認することができる大きさ以上の寸法であればよい。また外袋及び内袋の形状が異なり、あるいはその寸法に差がある場合には、外袋及び内袋の縦寸法及び横寸法の差を勘案し、外袋内において内袋がずれた場合であっても、内袋に形成される開口部ｙと外袋に形成される開口部ｘとの少なくとも一部が重なるように、開口部ｙ及び開口部ｘの形状及び寸法が決定される。
【００２３】
特に、外袋の外見において、内包物の露出をあまり目立たせないという観点からは、該内包物の存在を確認することができる程度において、開口部ｘの寸法を小さく形成することが望ましい。
例えば、外袋よりも内袋の寸法が小さく、外袋内において内袋の位置がずれることのある袋体において、該内袋の縦方向及び横方向のずれの最大距離を勘案し、外袋に形成された開口部ｘ全体が、内袋に形成された開口部ｙの一部と常に完全に重なる程度に内袋ｙの面積を大きく形成した場合には、外袋に形成される開口部ｘの大きさを、内包物が目視により確認できる範囲で、充分に小さくすることができる。具体的には、開口部ｘの最大長を０．５ｍｍ〜２０ｍｍ、好ましくは、１ｍｍ〜１０ｍｍ、より好ましくは、３ｍｍ〜５ｍｍにすることができる。より具体的には、円形の開口部ｘの場合には、その円の直径を上記数値範囲内に決定することができる。
【００２４】
また図１では、開口部から紙幣が完全に露出する態様について説明したが、例えば、開口部に無色透明或いは有色透明のセロファン等のフィルムを貼って、該フィルムを介して紙幣５が視認されるよう構成されていてもよい。
また貼り付けと剥離が繰り返し可能なシール部材等の脱着可能な目隠し部材を、開口部ｘを覆う位置に設けてもよい。そして内袋内における内包物の存在を確認したい場合には、該目隠し部材を剥がし、開口部ｘ及び開口部ｙの重複部分を介して内袋内の内包物を確認後、再度、開口部ｘを覆うように該目隠し部材を所定の位置に取り付けてもよい。
上述した開口部ｘにフィルムや脱着可能な目隠し部材を取り付けた場合には、袋体外側において内袋内の内包物が直接露出することないので、紙幣等の内包物の存在を袋多外見上、目立たせたくない場合には特に効果がある。
【００２５】
次に本発明の別の実施態様について、図２を用いて説明する。
図２ａは、外袋１２外側に、水引き１３及び表書き用紙１４が装着された祝儀袋である袋体１１を表面から見た平面図である。外袋１２には、内袋１７が内包されている。
図２ｂは、水引き１３が取り外された外袋１２を裏面より見た概念図である。外袋１２には、その上端及び下端にそれぞれ折り曲げ部１５ａ及び１５ｂが形成されており、また折り曲げ部１５ｂを外袋１２の裏面に接するように折り畳んだ際に、折り曲げ部１５ｂの内側に隠れる位置に開口部ｘ１６が形成されている。
図２ｃは、外袋１２に内包される内袋１７の裏面を示す概念図である。内袋１７の裏面下方には、開口部ｙ１８が形成されており、内袋１７に内包される紙幣１９が、開口部ｙ１８より露出している。
図２ｄは、内袋１７を外袋１２に内包させた状態の袋体１１を裏面から見た図であって、折り曲げ部１５ｂを外袋１２の裏面の一部が見られるように撓ませた状態を示す概念図である。開口部ｘ１６を介して、内袋１７に内包される紙幣１９の存在が、目視により確認される。
【００２６】
袋体１１は、外袋１２に形成された開口部ｘ１６と内袋１７に形成された開口部ｙ１８とが重なっており、折り曲げ部１５ｂを外袋１２裏面に接するよう折り曲げて畳んだ状態では、上記開口部ｘ１６は折り曲げ部１５ｂの内側に隠れ、袋体１１外見上には現れない（図示せず）。しかし図２ｄに示すとおり、折り曲げ部１５ｂを撓ませたときには、開口部ｘ１６を覗くことができ、開口部ｘ１６及び開口部ｙ１８の重なった部分を介して内袋１７に内包される紙幣１９の存在を目視により容易に確認することができる。
したがって上述する本発明の実施態様では、祝儀袋外見上、一見、開口部の存在がわからないよう構成されており内袋の内包物は露出しないが、一方、折り曲げ部（及び／または袋体１１本体）を少し撓ませた際には、開口部を介して内袋に内包させる内包物の存在を目視により容易に確認することができるので、紙幣等の内包物を袋体外見上に露出させたくない場合には特に好ましい。
【００２７】
尚、内袋における紙幣等の内包物を袋体外見上に露出させたくない場合の別の態様として、開口部ｘ及び開口部ｙそれぞれを外袋表面及び内袋表面に設けるとともに、その位置を、表書き用紙１４などの装飾物の裏に隠れる位置に調整して形成してもよい。
【００２８】
また本発明の別の実施態様として、折り曲げ部にさらに開口部ｚを設け、外袋と内袋とのそれぞれに設けられた開口部ｘ及び開口部ｙと上記開口部ｚの少なくとも一部が重なるよう形成してもよい。
【００２９】
即ち、図３ａに示すとおり、上端及び下端にそれぞれ折り曲げ部２２ａ及び折り曲げ部２２ｂが設けられた外袋２１において、該外袋２１裏面に開口部ｘ２３を設けるとともに、折り曲げ部２２ｂにも、該折り曲げ部２２ｂを貫通する開口部ｚ２４を設ける。一方、図３ｂに示すとおり内袋２５裏面に、内袋２５に内包される紙幣２７の一部が視認できるよう開口部ｙ２６を設ける。そして外袋２１内に内袋２５を内包させた際に、開口部ｘ２３、ｙ２６、ｚ２４の３つの開口部の少なくとも一部が重複するよう形成してもよい。
しかして外袋２１に内袋２５を内包させ、且つ、折りたたみ部２２ａ及び２２ｂを外袋２１裏面に接するように折り曲げて畳むと、図３ｃに示すとおり、開口部ｘ２３、ｙ２６、ｚ２４の重複部分を介して、内袋２５に内包される紙幣２７の存在が、袋体２８の外見上より目視で容易に確認することができる。
【００３０】
以上図１〜３で説明した本発明の実施態様では、いずれも長方形あるいは円形の形状の開口部が形成された外袋と内袋とからなる袋体について説明したが、本発明における開口部の形状はこれに限定されず、例えば、三角形型、ハート型、星型、文字形状等の任意の図柄で形成してもよい。
【００３１】
また本発明において開口部を設ける位置は、袋体の裏面あるいは表面の任意の箇所に決定することができる。ただし、特に内袋に設けられる開口部ｙにおいて、該内袋に内包物として紙幣を入れる場合に、該開口部ｙを内袋幅方向の端部に設けると、内袋に紙幣を挿入する際、該紙幣の角が開口部ｙにひっかかり挿入し難い場合があり、また開口部ｙに紙幣ひっかかることで該紙幣が折曲がる虞がある。したがってこの観点からは、内袋に設けられる開口部ｙは、紙幣の角がかからない程度に幅方向端部から中央寄りの位置に、あるいは幅方向中央部に設けられることが望ましい。これに即して外袋に設けられる開口部ｘの形成位置も調整されることは言うまでもない。
また、上述した図２に示す本発明の実施態様では、折り曲げ部（及び／または袋体本体）を少し撓ませるだけで、開口部が容易に見ることができるという観点からは、袋体幅方向中央部から該袋体幅方向端部寄りに設けられていることが望ましい。したがって、特に内袋に紙幣を入れることが予定される上記実施態様の袋体では、上述したとおり紙幣の角のひっかかりを考慮し、該紙幣の角がひっかからない程度に袋体幅方向端部寄りの位置に開口部を設けることが望ましい。
【図面の簡単な説明】
【００３２】
【図１】図１ａは外袋裏面を示す概念図であり、図１ｂは内袋裏面を示す概念図であり、図１ｃは本発明の袋体の一実施態様を示す概念図である。
【図２】図２ａは本発発明の袋体の一実施態様を示す表面平面図であり、図２ｂは外袋の裏面を示す概念図であり、図２ｃは内袋裏面を示す概念図であり、図２ｄは本発明の袋体の一実施態様を示す裏面概念図である。
【図３】図３ａは外袋の裏面を示す概念図であり、図３ｂは内袋の裏面を示す概念図であり、図３ｃは本発明の袋体の一実施態様を示す裏面概念図である。
【符号の説明】
【００３３】
１、１２、２１      外袋
３、１７、２５      内袋
６、１１、２８      袋体
２、１６、２３      開口部ｘ
４、１８、２６      開口部ｙ
２４                開口部ｚ
【図１】
2008050014.tif 000003
【図２】
2008050014.tif 000004
【図３】
2008050014.tif 000005